(57)【特許請求の範囲】
【請求項１】
投写レンズを有するレンズ部を駆動するレンズ駆動部と、
前記投写レンズに関する画角の調整指示を示すズーム指示情報を受け付ける第１の受付部と、
前記投写レンズに関するレンズシフト指示に応じて画像の位置調整が行われた状態で、前記受付部によって前記ズーム指示情報が受け付けられると、当該ズーム指示情報に基づき、所望の状態で前記画像が投写されるように、前記レンズ駆動部に対してレンズシフト制御する制御部と、
前記所望の状態の設定を受け付けるための受付画像を投写する投写部と、
前記設定を受け付ける第２の受付部と、
を含み、
前記投写部は、前記所望の状態として、前記画角の調整前後の前記画像の中心位置が変化しない状態で前記画像が投写されるように、前記レンズ駆動部に対してレンズシフト制御する第１の制御方法と、前記所望の状態として、前記レンズシフト指示に応じた前記画像の移動方向に対して基端側における前記画像の位置が変化しない状態で前記画像が投写されるように、前記レンズ駆動部に対してレンズシフト制御する第２の制御方法と、前記望の状態として、前記画角の調整前後における前記画像の１辺または２辺の位置が変化しない状態で前記画像が投写されるように、前記レンズ駆動部に対してレンズシフト制御する第３の制御方法とが、前記設定として選択可能に前記受付画像を投写し、
前記制御部は、前記第２の受付部によって受け付けられた前記設定に応じて、前記レンズ駆動部に対する制御を行う、
プロジェクター。
【請求項２】
投写レンズを有するレンズ部を駆動するレンズ駆動部と、前記投写レンズに関する画角の調整指示を示すズーム指示情報を受け付ける受付部と、を含むプロジェクターにおける制御方法であって、
前記画角の調整前後の画像の中心位置が変化しない状態で前記画像が投写されるように、前記レンズ駆動部に対してレンズシフト制御する第１の制御方法と、レンズシフト指示に応じた前記画像の移動方向に対して基端側における前記画像の位置が変化しない状態で前記画像が投写されるように、前記レンズ駆動部に対してレンズシフト制御する第２の制御方法と、前記画角の調整前後における前記画像の１辺または２辺の位置が変化しない状態で前記画像が投写されるように、前記レンズ駆動部に対してレンズシフト制御する第３の制御方法のいずれかの制御方法を選択する第１のステップと、
前記投写レンズに関する前記レンズシフト指示に応じて画像の位置調整が行われた状態で、前記ズーム指示情報が受け付ける第２のステップと、
前記ズーム指示情報に基づき、所望の状態で前記画像が投写されるように、前記第１のステップで選択された制御方法で前記レンズ駆動部に対してレンズシフト制御する第３のステップと、
を有する制御方法。
【発明の詳細な説明】
【技術分野】
【０００１】
本発明は、プロジェクターおよび制御方法に関する。
【背景技術】
【０００２】
例えば、特開２００６−５５３４号公報に記載されているように、投写レンズに対するズーム機能とレンズシフト機能を有するプロジェクターが提供されている。
【先行技術文献】
【特許文献】
【０００３】
【特許文献１】特開２００６−５５３４号公報
【発明の概要】
【発明が解決しようとする課題】
【０００４】
プロジェクターが画像を投写している状況で、レンズシフトが行われていない状態でズーム状態が変化した場合、画像の中心を基準として画像の大きさが変化する。これに対し、レンズシフトが行われた状態でズーム状態が変化した場合、画像の中心ではない点を基準として画像の大きさが変化する。このように、一般的なプロジェクターでは、レンズシフトが行われた状態であるかどうかによって、ズーム状態の変化が異なっていた。
【０００５】
また、例えば、ユーザーが、障害物を避ける目的でレンズシフトを行っている場合、ズーム指示によって画像が四方に拡大されることにより、画像の一部が障害物に重なってしまい、再度レンズシフトを行わなければならない事態が発生していた。
【０００６】
本発明にかかるいくつかの態様は、上記課題を解決することにより、レンズシフトが行われた状態でズーム指示があった場合に、適切な画像を投写することが可能なプロジェクターおよび制御方法を提供するものである。
【課題を解決するための手段】
【０００７】
本発明の態様の１つであるプロジェクターは、投写レンズを有するレンズ部を駆動するレンズ駆動部と、前記投写レンズに関する画角の調整指示を示すズーム指示情報を受け付ける受付部と、前記投写レンズに関するレンズシフト指示に応じて画像の位置調整が行われた状態で、前記受付部によって前記ズーム指示情報が受け付けられると、当該ズーム指示情報に基づき、所望の状態で前記画像が投写されるように、前記レンズ駆動部に対してレンズシフト制御する制御部と、を含むことを特徴とする。
【０００８】
また、本発明の態様の１つである制御方法は、投写レンズを有するレンズ部を駆動するレンズ駆動部と、前記投写レンズに関する画角の調整指示を示すズーム指示情報を受け付ける受付部と、を含むプロジェクターにおける制御方法であって、前記プロジェクターは、前記投写レンズに関するレンズシフト指示に応じて画像の位置調整が行われた状態で、前記ズーム指示情報が受け付け、前記ズーム指示情報に基づき、所望の状態で前記画像が投写されるように、前記レンズ駆動部に対してレンズシフト制御することを特徴とする。
【０００９】
本発明によれば、プロジェクターは、レンズシフトが行われた状態でズーム指示があった場合に、レンズシフト制御を行うことによって画像の位置を調整することができるため、適切な画像を投写することができる。
【００１０】
また、前記制御部は、前記所望の状態として、前記画角の調整前後の前記画像の中心位置が変化しない状態で前記画像が投写されるように、前記レンズ駆動部に対してレンズシフト制御してもよい。これによれば、プロジェクターは、レンズシフトが行われた状態でズーム指示があった場合でも、画像の中心位置が変化しない状態で画像を投写することができるため、適切な画像を投写することができる。
【００１１】
また、前記制御部は、前記所望の状態として、前記レンズシフト指示に応じた前記画像の移動方向に対して基端側における前記画像の位置が変化しない状態で前記画像が投写されるように、前記レンズ駆動部に対してレンズシフト制御してもよい。これによれば、プロジェクターは、レンズシフトが行われた状態でズーム指示があった場合でも、レンズシフト指示に応じた画像の移動方向に対して基端側における画像の位置が変化しない状態で画像を投写することができるため、適切な画像を投写することができる。
【００１２】
また、前記制御部は、前記所望の状態として、前記画角の調整前後における前記画像の１辺または２辺の位置が変化しない状態で前記画像が投写されるように、前記レンズ駆動部に対してレンズシフト制御してもよい。これによれば、プロジェクターは、レンズシフトが行われた状態でズーム指示があった場合でも、画角の調整前後における画像の１辺または２辺の位置が変化しない状態で画像を投写することができるため、適切な画像を投写することができる。
【００１３】
また、前記プロジェクターは、前記所望の状態の設定を受け付けるための受付画像を投写する投写部と、前記設定を受け付ける受付部と、を含み、前記制御部は、前記受付部によって受け付けられた前記設定に応じて、前記レンズ駆動部に対する制御を行ってもよい。これによれば、プロジェクターは、所望の状態の設定に応じて画像を投写することができるため、適切な画像を投写することができる。
【００１４】
また、前記投写部は、前記受付画像として、前記画角の調整前後の位置を変化させない基準辺の選択を受け付けるための画像を投写し、前記受付部は、前記設定として、前記基準辺の選択を受け付け、前記制御部は、前記所望の状態として、前記受付部によって受け付けられた前記基準辺の選択に応じて、前記画像における前記基準辺の位置が変化しない状態で前記画像が投写されるように、前記レンズ駆動部に対してレンズシフト制御してもよい。これによれば、プロジェクターは、レンズシフトが行われた状態でズーム指示があった場合でも、画像の基準辺の位置が変化しない状態で画像を投写することができるため、適切な画像を投写することができる。
【図面の簡単な説明】
【００１５】
【図１】第１の実施例における投写状況を示す図である。
【図２】レンズシフトしていない状態でのズーム操作による画像の変化を示す図である。
【図３】従来のレンズシフトした状態でのズーム操作による画像の変化を示す図である。
【図４】第１の実施例におけるレンズシフトした状態でのズーム操作による画像の変化を示す図である。
【図５】第１の実施例におけるプロジェクターの機能ブロック図である。
【図６】第１の実施例におけるプロジェクターのハードウェアブロック図である。
【図７】第１の実施例におけるレンズ制御手順の一例を示すフローチャートである。
【図８】第１の実施例における基準となる座標の一例を示す図である。
【図９】第２の実施例における基準となる座標の一例を示す図である。
【図１０】第４の実施例における受付画像の一例を示す図である。
【図１１】第４の実施例における受付画像の他の一例を示す図である。
【発明を実施するための形態】
【００１６】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１７】
（第１の実施例）
図１は、第１の実施例における投写状況を示す図である。プロジェクター１００は、ＨＤＭＩケーブル３００を介してＤＶＤプレーヤー２００から画像信号が入力され、当該画像信号に基づき、スクリーン１０に画像５００を投写する。ユーザーは、リモートコントローラー４００を操作することにより、画像５００の大きさ、位置等を調整する。プロジェクター１００は、投写レンズを有するレンズ部（例えば、鏡筒、ズームレンズ等）の位置を調整することにより、これらの調整を行うことができる。
【００１８】
図２は、レンズシフトしていない状態でのズーム操作による画像５００の変化を示す図である。例えば、ユーザーは、レンズシフトしていない状態で、リモートコントローラー４００を用いてズーム操作を行うことにより、画像５００を、画像５１０、５２０、５３０のように、プロジェクター１００によって拡大させて投写させることができる。この場合、画像５００の中心位置と画像５１０、５２０、５３０の中心位置は一致している。
【００１９】
図３は、従来のレンズシフトした状態でのズーム操作による画像５０１の変化を示す図である。例えば、レンズシフトしていない状態での画像の中心位置Ｃに対して上方にレンズシフトが行われた状態で、ユーザーがズーム操作を行うと、従来のプロジェクターは、ズーム前の画像５０１を、画像５１１、５２１、５３１のように拡大して投写する。この場合、従来のプロジェクターは、中心位置Ｃを基準として画像５０１を拡大するため、画像５０１の中心位置と画像５１１、５２１、５３１の中心位置は一致しない。このように、従来のプロジェクターでは、レンズシフトの有無によってズーム操作時の画像５００、５０１の挙動が異なってしまう。
【００２０】
図４は、第１の実施例におけるレンズシフトした状態でのズーム操作による画像５０１の変化を示す図である。本実施例のプロジェクター１００は、画像５０１のズーム指示があった場合に、現在のレンズシフト状態に応じて、画像５０１の中心位置が変化しないように画像５０１のズームを行う機能を有している。これにより、画像５０１は、画像５１２、５２２、５３２の中心位置は一致する。次に、このような機能を有するプロジェクター１００の機能ブロックについて説明する。
【００２１】
図５は、第１の実施例におけるプロジェクター１００の機能ブロック図である。プロジェクター１００は、ＤＶＤプレーヤー２００からの画像信号等が入力される信号入力部１１０と、記憶部１２０と、画像生成部１４０と、リモートコントローラー４００からの指示情報を受け付ける受付部１６０と、画像生成部１４０等を制御する制御部１５０と、投写部１８０を含んで構成されている。記憶部１２０は、画像データ１２２、制御データ１２４、ユーザー設定データ１２６等を記憶している。また、投写部１８０は、レンズ部１８２、レンズ部１８２を駆動するレンズ駆動部１８４と、レンズ部１８２の位置等を検出する位置検出部１８６を含んで構成されている。
【００２２】
図６は、第１の実施例におけるプロジェクター１００のハードウェアブロック図である。例えば、信号入力部１１０は、ＨＤＭＩ端子９１０、９１１、セレクター９１２、受信回路９１４等、記憶部１２０は、ＲＡＭ９２０、フラッシュＲＯＭ９２２等、画像生成部１４０は、画像処理回路９４０等、制御部１５０は、ＣＰＵ９５０等、受付部１６０は、受信ユニット９６０等、投写部１８０は、ランプ駆動回路９９０、ランプ９９１、照明光学系９９２、液晶駆動回路９９３、液晶ライトバルブ９９４、レンズ９９５等であってもよい。また、プロジェクター１００は、電源９３０等も有している。なお、レンズ９９５は、実際には、ズームレンズ、フォーカスレンズ、投写レンズ等の複数のレンズで構成されている。
【００２３】
また、画角（ズーム）調整等を行うためのレンズ駆動部１８４は、モーター９７２、モーター９７２を駆動するモーター駆動回路９７０、モーター９７２の回転速度を調整する減速機構９７４、モーター９７２の回転運動を直線運動に変換する変換機構９７６等であってもよく、当該目的のための位置検出部１８６は、減速機構９７４に接続され、減速機構９７４を介してレンズ９９５（ズームレンズ）の位置情報を取得するエンコーダー９７８等であってもよい。また、レンズシフトを行うためのレンズ駆動部１８４は、モーター駆動回路９８０、モーター９８２、減速機構９８４、変換機構９８６等であってもよく、当該目的のための位置検出部１８６は、変換機構９８６に接続され、変換機構９８６を介してレンズ９９５（投写レンズ）の位置情報を取得するリニアセンサー９８８等であってもよい。以上のように、プロジェクター１００は、電動でズーム、レンズシフト等を行うためのハードウェア構成を有している。
【００２４】
次に、これらの各部を用いた、レンズシフトが行われた状態でのズーム操作時におけるレンズ制御手順について説明する。図７は、第１の実施例におけるレンズ制御手順の一例を示すフローチャートである。ここでは、ズーム倍率が１倍からスタートして、Ｚｍ倍に変化するときの動きとして説明する。また、図８は、第１の実施例における基準となる座標の一例を示す図である。受付部１６０は、リモートコントローラー４００からの投写レンズに関するレンズシフト指示情報を受け付け、制御部１５０は、当該レンズシフト指示情報に基づき、レンズシフトが行われるようにレンズ駆動部１８４を制御する。これにより、レンズシフトが行われる。また、受付部１６０は、リモートコントローラー４００からの投写レンズに関する画角の調整指示であるズーム指示情報を受け付け、制御部１５０は、当該ズーム指示情報に基づき、ズームが行われるようにレンズ駆動部１８４を制御する。これにより、ズームが行われる。なお、制御部１５０は、レンズシフト指示情報やズーム指示情報に基づいて現在のレンズシフトやズームの状態をユーザー設定データ１２６の一部として記憶部１２０に記憶してもよいし、位置検出部１８６からの情報に基づいて現在のレンズシフトやズームの状態をユーザー設定データ１２６の一部として記憶部１２０に記憶してもよい。
【００２５】
まず最初に、制御装置１５０は、動作開始時にズーム倍率が１倍のときの画像の中心位置Ｃ０（Ｓｘ０，Ｓｙ０）を取得する（ステップＳ１）。なお、この位置情報はレンズシフトの位置情報を一致させるため、制御装置１５０は、位置検出部１８６から取得した位置情報をそのまま、画像の中心位置Ｃ０の位置情報として使用する。図８の場合、画像５０１はレンズシフトによって移動しており、ズーム倍率を１倍からＺｍ倍（Ｚｍ＞１）に変化させたときには、画像５２１が投写されることになる。
【００２６】
制御部１５０は、受付部１６０によって受け付けられたズーム指示情報に基づき、レンズ部１８２をズーム駆動させるようにレンズ駆動部１８４を制御し、レンズ駆動部１８４は、当該制御に応じてレンズ部１８２をズーム駆動する（ステップＳ２）。さらに、制御部１５０は、位置検出部１８６から駆動後（レンズ部１８２の移動後）のズーム倍率Ｚｍを示す情報を取得する（ステップＳ３）。このときの画像の中心位置Ｃ１（Ｓｘ１，Ｓｙ１）、Ｃ０（Ｓｘ０，Ｓｙ０）、Ｚｍの関係は、Ｓｘ１＝Ｚｍ＊Ｓｘ０、Ｓｙ１＝Ｚｍ＊Ｓｙ０となっている。
【００２７】
制御部１５０は、これらの情報に基づき、レンズシフトしていない状態における倍率１倍の画像５０１の中心位置Ｃ０と、ズーム後の画像の中心位置Ｃ１が一致するような補正駆動量Ｅｘ、Ｅｙを演算する（ステップＳ４）。より具体的には、制御部１５０は、前記Ｓｘ１、Ｓｙ１に対して、水平方向の補正値Ｅｘ、垂直方向の補正値Ｅｙを加えることによって、Ｃ０とＣ１を一致させる。すなわち、Ｓｘ０＝Ｚｍ＊Ｓｘ０＋Ｅｘ、Ｓｙ０＝Ｚｍ＊Ｓｙ０＋Ｅｙを演算すればよい。なお、上述した演算式は、制御データ１２４の一部として記憶部１２０に記憶され、制御部１５０は、制御データ１２４を参照して制御を行ってもよい。そして、制御部１５０は、上記補正値に応じてレンズ部１８２をレンズシフト駆動させるようにレンズ駆動部１８４を制御し、レンズ駆動部１８４は、当該制御に応じてレンズ部１８２をレンズシフト駆動する（ステップＳ５）。
【００２８】
制御部１５０は、レンズ部１８２に対する駆動（駆動指示）が終了したかどうかを判定し（ステップＳ６）、終了していない場合はこれらの制御（ステップＳ２〜Ｓ５）を続行し、終了した場合は当該制御を終了する。
【００２９】
以上のように、本実施例によれば、プロジェクター１００は、レンズシフトが行われた状態でズーム指示があった場合に、レンズシフト制御を行うことによって画像５０１、５１２、５２２、５３２の中心位置を変化させないで投写することができるため、適切な画像５１２、５２２、５３２を投写することができる。
【００３０】
また、本実施例によれば、プロジェクター１００は、アスペクト比が１６：９の画像に対してレンズシフトが行われた状態で、画像の切り替えによってアスペクト比が２．３５：１（２１：９等の場合もある）のシネマスコープ画像（いわゆるシネスコ画像）が選択され、さらに、ズーム指示があった場合であっても、画像の中心位置を変化させないで画像を投写することができるため、ユーザーにとって見やすい画像を投写することができる。
【００３１】
なお、本実施例では一例として、駆動開始時のズーム倍率が１倍から拡大するときの計算方法を示したが、駆動開始時のズーム倍率が１倍ではない場合には、駆動開始時のズーム倍率をＺｍ０、ステップＳ２で取得するズーム倍率をＺｍ１として、両者の比率Ｚｍ＝Ｚｍ１／Ｚｍ０を演算して同様の計算をすればよい。また、図８ではズームにより画像が拡大する場合を図示したが、縮小する場合の計算式は前述のものをそのまま利用できる。
【００３２】
（第２の実施例）
プロジェクター１００は、第１の実施例では、画像５０１、５１２、５２２、５３２の中心位置を変化させないで投写したが、ユーザーの選択または所定の基準（例えば、スクリーン１０に投写された画像５０１の撮像データに基づいて画像５０１の下側に障害物が検出された場合に下辺を基準にする等）等に応じて画像５０１の基準となる１辺または２辺の位置（より具体的には、例えば、平面座標における画像５０１の辺の延長線が座標軸と交わる位置等）を変化させないで画像５０１のズームを行ってもよい。
【００３３】
図９は、第２の実施例における基準となる座標の一例を示す図である。例えば、プロジェクター１００は、垂直方向において、下辺の位置を変化させないで画像５０１をズームする場合、画像５０１の下辺の位置（当該下辺の延長線がｙ軸と交わる位置）はｙ０＝Ｓｙ０−１／２となる。なお、説明を簡単にするため、第１の実施例と同様に、垂直方向に上方にレンズシフトされた画像５０１が投写された状態で、ズームの指示があったものとする。また、図９に示すように、画像５０１の縦の長さを１とする。
【００３４】
このままの状態で倍率Ｚｍのズームが行われると、ズーム後の画像５２１の下辺の位置はｙ１＝Ｓｙ−Ｚｍ／２＝Ｚｍ＊Ｓｙ０−Ｚｍ／２＝Ｚｍ＊（Ｓｙ０−１／２）となる。下辺を変化させない条件はｙ０とｙ１が一致することである。したがって、ｙ１＝ｙ０＋補正値Ｅｙであり、補正値Ｅｙ＝ｙ１−ｙ０＝Ｚｍ＊（Ｓｙ０−１／２）−（Ｓｙ０−１／２）＝（Ｚｍ−１）＊（Ｓｙ０−１／２）となる。なお、下辺以外を基準とする場合も同様である。
【００３５】
以上のように、本実施例によれば、プロジェクター１００は、基準となる辺を変化させないで画像５０１、５２３を投写することができる。例えば、画像５０１の下辺の下に障害物が存在している場合であっても、プロジェクター１００は、下辺の位置を変化させないで画像の拡大等を行うことができるので、ズームが行われても画像が障害物に遮られることがないため、ユーザーの使い勝手を向上させることができる。
【００３６】
（第３の実施例）
プロジェクター１００は、レンズシフト指示に応じた画像５０１の移動方向に対して基端側における画像の位置（基準となる辺の位置）が変化しない状態で画像が投写されるように、レンズ駆動部１８４に対してレンズシフト制御してもよい。例えば、制御部１５０は、レンズシフト指示に応じた画像５０１の移動方向や現在のレンズシフト状態をユーザー設定データ１２６の一部として記憶部１２０に記憶し、ユーザー設定データ１２６を参照して上記移動方向に対する基端を決定してもよい。例えば、移動方向が上であれば、基端は下辺であり、移動方向が左であれば、基端は右辺である。また、例えば、上にレンズシフトしてから下にレンズシフトされた場合であっても、制御部１５０は、現在のレンズシフト状態が上に移動した状態か下に移動した状態かを判定して基端を決定することができる。なお、具体的な制御方法は、第２の実施例と同様であるため、説明を省略する。
【００３７】
以上のように、本実施例によれば、プロジェクター１００は、レンズシフトが行われた状態でズーム指示があった場合でも、レンズシフト指示に応じた画像５０１の移動方向に対して基端側における画像の位置が変化しない状態で画像を投写することができるため、適切な画像を投写することができる。
【００３８】
（第４の実施例）
第１〜第３の実施例では、３種類の制御方法を説明したが、プロジェクター１００は、当該３種類の制御方法のうち、どの制御方法で制御するか（所望の状態）をユーザーに選択させてもよい。
【００３９】
図１０は、第４の実施例における受付画像５４０の一例を示す図である。また、図１１は、第４の実施例における受付画像５４１の他の一例を示す図である。例えば、受付画像５４０では、第１の実施例に対応した「中心シフト」、第２の実施例に対応した「選択基準辺シフト」、第３の実施例に対応した「自動基準辺シフト」の３つの選択肢が選択可能に表示される。例えば、ユーザーが、リモートコントローラー４００を用いて、上または下の方向キーを操作して「選択基準辺シフト」を選択してＥｎｔｅｒキーを押して決定すると、プロジェクター１００は、４つの辺のうち、どの辺を基準（移動させない）とするか選択させる受付画像５４１を投写する。例えば、ユーザーが、リモートコントローラー４００の上下左右のいずれかの方向キーを押すと、カーソル画像５５０が指示された辺に移動し、リモートコントローラー４００のＥｎｔｅｒキーを押すと、選択または選択の解除を行うことができる。
【００４０】
例えば、図１１に示すように、左辺と下辺が選択された状態でリモートコントローラー４００のＭｅｎｕキー（終了）が押されると、制御部１５０は、当該選択内容（所望の状態の設定）をユーザー設定データ１２６の一部として記憶部１２０に記憶しておき、ズーム指示があった場合に、ユーザー設定データ１２６を参照して左辺と下辺の位置が変化しないように、レンズ駆動部１８４を制御する。
【００４１】
以上のように、本実施例によれば、プロジェクター１００は、ユーザーが選択した所望の状態の設定に応じて画像を投写することができるため、ユーザーにとって所望の状態で画像を投写することができる。
【００４２】
（その他の実施例）
なお、本発明の適用は上述した実施例に限定されず、変形が可能である。例えば、上述した実施例の構成を組み合わせてもよい。例えば、制御部１５０は、画像の水平方向を、中心位置を基準とし、画像の垂直方向を、下辺を基準として、画像のズームを行ってもよく、複数種の制御方法を組み合わせてもよい。
【００４３】
また、第１の実施例では、制御部１５０は、倍率が１倍の画像５０１の中心位置を基準にしているが、倍率が１倍以外の画像の中心位置を基準にして上述した演算を行ってもよい。例えば、制御部１５０は、倍率がＺｎ倍の画像の中心位置を基準にする場合、一旦倍率１倍の画像の中心位置を求めて演算してもよい。
【００４４】
また、プロジェクター１００の有するコンピューターは、情報記憶媒体に記憶されたプログラムを読み取って制御部１５０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００４５】
また、プロジェクター１００は、液晶プロジェクター（透過型、ＬＣＯＳ等の反射型）に限定されず、例えば、デジタルマイクロミラーデバイスを用いたプロジェクター等であってもよい。また、投写部１８０は、ランプの代わりに有機ＥＬ素子、シリコン発光素子、レーザーダイオード、ＬＥＤ等の固体光源を含む自己発光素子を採用してもよい。また、プロジェクター１００の機能を複数の装置（例えば、ＰＣとプロジェクター等）に分散してもよい。
【符号の説明】
【００４６】
１０  スクリーン、１００  プロジェクター、１１０  信号入力部、１２０  記憶部、１２２  画像データ、１２４  制御データ、１２６  ユーザー設定データ、１４０  画像生成部、１５０  制御部、１６０  受付部、１８０  投写部、１８２  レンズ部、１８４  レンズ駆動部、１８６  位置検出部、２００  ＤＶＤプレーヤー、３００  ＨＤＭＩケーブル、４００  リモートコントローラー、５００、５０１、５１０〜５１２、５２０〜５２３、５３０〜５３２  画像、５４０、５４１  受付画像、５５０  カーソル画像、９１０、９１１  ＨＤＭＩ端子、９１２  セレクター、９１４  受信回路、９２０  ＲＡＭ、９２２  フラッシュＲＯＭ、９３０  電源、９４０  画像処理回路、９５０  ＣＰＵ、９６０  受信ユニット、９７０、９８０  モーター駆動回路、９７２、９８２  モーター、９７４、９８４  減速機構、９７６、９８６  変換機構、９７８  エンコーダー、９８８  リニアセンサー、９９０  ランプ駆動回路、９９１  ランプ、９９２  照明光学系、９９３  液晶駆動回路、９９４  液晶ライトバルブ、９９５  レンズ
【図１】
0005754124.tif 000002
【図２】
0005754124.tif 000003
【図３】
0005754124.tif 000004
【図４】
0005754124.tif 000005
【図５】
0005754124.tif 000006
【図６】
0005754124.tif 000007
【図７】
0005754124.tif 000008
【図８】
0005754124.tif 000009
【図９】
0005754124.tif 000010
【図１０】
0005754124.tif 000011
【図１１】
0005754124.tif 000012